(57)【要約】【課題】求職者のシステムの利用期間にかかわらず、求職意欲を適切に評価する。【解決手段】ユーザ端末装置がネットワークを介してアクセス可能なサーバ装置であって、求人募集対象の関連キーワードを求人募集対象毎に対応付けて記憶する関連キーワード記憶手段と、ユーザ情報と求職情報とを含む応募情報をユーザ端末装置から取得する応募情報取得手段と、取得された応募情報からテキスト情報を抽出するテキスト情報抽出手段と、抽出されたテキスト情報に、取得された応募情報が応募対象とする求人募集対象に対応する関連キーワードが含まれるか否かを判定する判定手段と、判定結果に基づいて、応募対象に対するユーザの意欲度を評価する意欲度評価手段と、を備える。【選択図】図６
2011210196.tif 000002
【特許請求の範囲】
【請求項１】
ユーザ端末装置がネットワークを介してアクセス可能なサーバ装置であって、
求人募集対象の関連キーワードを求人募集対象毎に対応付けて記憶する関連キーワード記憶手段と、
ユーザ情報と求職情報とを含む応募情報を前記ユーザ端末装置から取得する応募情報取得手段と、
前記取得された応募情報からテキスト情報を抽出するテキスト情報抽出手段と、
前記抽出されたテキスト情報に、前記取得された応募情報が応募対象とする前記求人募集対象に対応する前記関連キーワードが含まれるか否かを判定する判定手段と、
前記判定結果に基づいて、前記応募対象に対するユーザの意欲度を評価する意欲度評価手段と、
を備えることを特徴とするサーバ装置。
【請求項２】
請求項１に記載のサーバ装置において、
前記テキスト情報抽出手段は、前記求職情報に含まれる志望動機または自己ＰＲの少なくとも何れか一方を示すテキスト情報を抽出することを特徴とするサーバ装置。
【請求項３】
請求項１又は２に記載のサーバ装置において、
求人者のＷｅｂサイトに含まれるＷｅｂページの所在情報を取得する所在情報取得手段と、
前記取得された所在情報に基づいて、前記Ｗｅｂページから前記関連キーワードを抽出する関連キーワード抽出手段と、
を更に備え、
前記関連キーワード記憶手段は、前記抽出された関連キーワードを前記所在情報と対応する前記求人募集対象に関連付けて記憶することを特徴とするサーバ装置。
【請求項４】
請求項１乃至３の何れか１項に記載のサーバ装置において、
前記取得された応募情報と前記評価された意欲度とを対応付けて記憶する応募情報記憶手段と、
前記応募情報記憶手段により対応付けて記憶された前記応募情報及び前記意欲度をネットワークを介して求人者端末装置に送信する送信手段と、
を更に備えることを特徴とするサーバ装置。
【請求項５】
請求項１乃至３の何れか１項に記載のサーバ装置において、
前記取得された応募情報と前記評価された意欲度とを対応付けて記憶する応募情報記憶手段と、
前記記憶された応募情報のうち、対応する前記意欲度が、指定された範囲にある応募情報を抽出する応募情報抽出手段と、
前記抽出された応募情報をネットワークを介して求人者端末装置に送信する送信手段と、
を更に備えることを特徴とするサーバ装置。
【請求項６】
請求項１乃至３の何れか１項に記載のサーバ装置において、
前記取得された応募情報と前記評価された意欲度とを対応付けて記憶する応募情報記憶手段と、
前記記憶された応募情報を、対応する前記意欲度の順にソートする応募情報ソート手段と、
前記ソートされた応募情報をネットワークを介して求人者端末装置に送信する送信手段と、
を更に備えることを特徴とするサーバ装置。
【請求項７】
ユーザ端末装置がネットワークを介してアクセス可能なサーバ装置における評価方法であって、
求人募集対象の関連キーワードを求人募集対象毎に対応付けて記憶する関連キーワード記憶ステップと、
ユーザ情報と求職情報とを含む応募情報を前記ユーザ端末装置から取得する応募情報取得ステップと、
前記取得された応募情報からテキスト情報を抽出するテキスト情報抽出ステップと、
前記抽出されたテキスト情報に、前記取得された応募情報が応募対象とする前記求人募集対象に対応する前記関連キーワードが含まれるか否かを判定する判定ステップと、
前記判定結果に基づいて、前記応募対象に対するユーザの意欲度を評価する意欲度評価ステップと、
を含むことを特徴とする評価方法。
【請求項８】
ユーザ端末装置がネットワークを介してアクセス可能なサーバ装置に含まれるコンピュータを、
求人募集対象の関連キーワードを求人募集対象毎に対応付けて記憶する関連キーワード記憶手段、
ユーザ情報と求職情報とを含む応募情報を前記ユーザ端末装置から取得する応募情報取得手段、
前記取得された応募情報からテキスト情報を抽出するテキスト情報抽出手段、
前記抽出されたテキスト情報に、前記取得された応募情報が応募対象とする前記求人募集対象に対応する前記関連キーワードが含まれるか否かを判定する判定手段、及び、
前記判定結果に基づいて、前記応募対象に対するユーザの意欲度を評価する意欲度評価手段、
として機能させることを特徴とする評価プログラム。
【発明の詳細な説明】
【技術分野】
【０００１】
本発明は、働き手を求める求人者による求人及び仕事を求める求職者による求職を支援する上で、求職者の意欲を評価して求人者に提供するサーバ装置、評価方法、及び評価プログラムの技術分野に関する。
【背景技術】
【０００２】
従来、求人及び求職を支援する求人・求職支援システムにおいては、例えば、氏名、年齢、住所、学歴、職歴、資格、希望条件等の情報を求職者に入力させ、求人者が設定した条件に合致する求職者の情報を求人者に提供することができる。また、求職者の求職に対する意欲というものを評価し、意欲を示す情報を求人者に提供するシステムも存在する。
【０００３】
例えば、非特許文献１には、求職者の行動に基づいて求職者の意欲を評価する技術が開示されている。具体的に、非特許文献１に開示された技術では、カレンダーの更新、求人募集に対する応募、勤務実績等により、求職者の意欲を示すやる気ポイントが増加し、カレンダーや応募の際に求職者がやる気ポイントを使用することで、求職者の意欲を視覚化して求人者に提示する。
【先行技術文献】
【非特許文献】
【０００４】
【非特許文献１】株式会社インディバル 、“短期アルバイト・単発バイト専門求人サイト  ショットワークス  意欲をアピールするシステム”、［online］、［平成２２年３月９日検索］、インターネット<URL: http://shotworks.yahoo.co.jp/guide/merit4>
【発明の概要】
【発明が解決しようとする課題】
【０００５】
しかしながら、非特許文献１に開示された技術では、求職者の意欲を求人者に高く評価させるためには、求職者が求人・求職システムを継続してある程度の長い期間利用する必要がある。そのため、システムの利用期間が短い求職者の意欲を適切に評価することは困難であった。
【０００６】
そこで、本発明は以上の点に鑑みてなされたものであり、求職者のシステムの利用期間にかかわらず、求職意欲を適切に評価することが可能なサーバ装置、評価方法、及び評価プログラムを提供することを目的とする。
【課題を解決するための手段】
【０００７】
上記課題を解決するために、請求項１に記載の発明は、ユーザ端末装置がネットワークを介してアクセス可能なサーバ装置であって、求人募集対象の関連キーワードを求人募集対象毎に対応付けて記憶する関連キーワード記憶手段と、ユーザ情報と求職情報とを含む応募情報を前記ユーザ端末装置から取得する応募情報取得手段と、前記取得された応募情報からテキスト情報を抽出するテキスト情報抽出手段と、前記抽出されたテキスト情報に、前記取得された応募情報が応募対象とする前記求人募集対象に対応する前記関連キーワードが含まれるか否かを判定する判定手段と、前記判定結果に基づいて、前記応募対象に対するユーザの意欲度を評価する意欲度評価手段と、を備えることを特徴とする。
【０００８】
求職者に求職意欲があるのであれば、求職者は応募対象に関連する情報を調べ、その結果を踏まえた上で、応募情報に入れるテキスト情報を入力して応募するものと考えられる。そうであるならば、テキスト情報には自ずと応募対象に関連するキーワードが含まれることになる。この発明によれば、応募情報に含まれるテキスト情報に求人募集対象の関連キーワードが含まれているか否かに応じて意欲度が評価されるので、求職者のシステムの利用期間にかかわらず、求職意欲を適切に評価することができる。
【０００９】
請求項２に記載の発明は、請求項１に記載のサーバ装置において、前記テキスト情報抽出手段は、前記求職情報に含まれる志望動機または自己ＰＲの少なくとも何れか一方を示すテキスト情報を抽出することを特徴とする。
【００１０】
この発明によれば、求職意欲が表れやすいテキスト情報に関連キーワードが含まれているか否かに応じて意欲度が評価されるので、求職意欲をより適切に評価することができる。
【００１１】
請求項３に記載の発明は、請求項１又は２に記載のサーバ装置において、求人者のＷｅｂサイトに含まれるＷｅｂページの所在情報を取得する所在情報取得手段と、前記取得された所在情報に基づいて、前記Ｗｅｂページから前記関連キーワードを抽出する関連キーワード抽出手段と、を更に備え、前記関連キーワード記憶手段は、前記抽出された関連キーワードを前記所在情報と対応する前記求人募集対象に関連付けて記憶することを特徴とする。
【００１２】
この発明によれば、求人者のＷｅｂページから関連キーワードが抽出されるので、人手により関連キーワードを登録する手間を省くことができる。
【００１３】
請求項４に記載の発明は、請求項１乃至３の何れか１項に記載のサーバ装置において、前記取得された応募情報と前記評価された意欲度とを対応付けて記憶する応募情報記憶手段と、前記応募情報記憶手段により対応付けて記憶された前記応募情報及び前記意欲度をネットワークを介して求人者端末装置に送信する送信手段と、を更に備えることを特徴とする。
【００１４】
この発明によれば、求人者は、応募情報とともに意欲度を取得することができるので、求職者の求職意欲を参考にして応募情報を検討することができる。
【００１５】
請求項５に記載の発明は、請求項１乃至３の何れか１項に記載のサーバ装置において、前記取得された応募情報と前記評価された意欲度とを対応付けて記憶する応募情報記憶手段と、前記記憶された応募情報のうち、対応する前記意欲度が、指定された範囲にある応募情報を抽出する応募情報抽出手段と、前記抽出された応募情報をネットワークを介して求人者端末装置に送信する送信手段と、を更に備えることを特徴とする。
【００１６】
この発明によれば、求人者は、指定された範囲内に意欲度がある応募情報を取得することができるので、求職意欲が或る基準を満たす求職者の応募情報のみを検討することができる。
【００１７】
請求項６に記載の発明は、請求項１乃至３の何れか１項に記載のサーバ装置において、前記取得された応募情報と前記評価された意欲度とを対応付けて記憶する応募情報記憶手段と、前記記憶された応募情報を、対応する前記意欲度の順にソートする応募情報ソート手段と、前記ソートされた応募情報をネットワークを介して求人者端末装置に送信する送信手段と、を更に備えることを特徴とする。
【００１８】
この発明によれば、求人者は、意欲度の順にソートされた応募情報を取得することができるので、求職意欲の順に応募情報を検討することができる。
【００１９】
請求項７に記載の発明は、ユーザ端末装置がネットワークを介してアクセス可能なサーバ装置における評価方法であって、求人募集対象の関連キーワードを求人募集対象毎に対応付けて記憶する関連キーワード記憶ステップと、ユーザ情報と求職情報とを含む応募情報を前記ユーザ端末装置から取得する応募情報取得ステップと、前記取得された応募情報からテキスト情報を抽出するテキスト情報抽出ステップと、前記抽出されたテキスト情報に、前記取得された応募情報が応募対象とする前記求人募集対象に対応する前記関連キーワードが含まれるか否かを判定する判定ステップと、前記判定結果に基づいて、前記応募対象に対するユーザの意欲度を評価する意欲度評価ステップと、を含むことを特徴とする。
【００２０】
請求項８に記載の発明は、ユーザ端末装置がネットワークを介してアクセス可能なサーバ装置に含まれるコンピュータを、求人募集対象の関連キーワードを求人募集対象毎に対応付けて記憶する関連キーワード記憶手段、ユーザ情報と求職情報とを含む応募情報を前記ユーザ端末装置から取得する応募情報取得手段、前記取得された応募情報からテキスト情報を抽出するテキスト情報抽出手段、前記抽出されたテキスト情報に、前記取得された応募情報が応募対象とする前記求人募集対象に対応する前記関連キーワードが含まれるか否かを判定する判定手段、及び、前記判定結果に基づいて、前記応募対象に対するユーザの意欲度を評価する意欲度評価手段、として機能させることを特徴とする。
【発明の効果】
【００２１】
本発明によれば、応募情報に含まれるテキスト情報に求人募集対象の関連キーワードが含まれているか否かに応じて意欲度が評価されるので、求職者のシステムの利用期間にかかわらず、求職意欲を適切に評価することができる。
【図面の簡単な説明】
【００２２】
【図１】一実施形態に係る求人・求職支援システムＳの概要構成の一例を示す図である。
【図２】一実施形態に係る求人・求職支援サーバ１の概要構成の一例を示すブロック図である。
【図３】（ａ）は、会員ＤＢ１２ａに登録される内容の一例を示す図であり、（ｂ）は、求人ＤＢ１２ｂに登録される内容の一例を示す図であり、（ｃ）は、関連キーワードＤＢ１２ｃに登録される内容の一例を示す図であり、（ｄ）は、応募ＤＢ１２ｄに登録される内容の一例を示す図である。
【図４】（ａ）は、応募情報の内容の一例を示す図であり、（ｂ）は、ユーザ情報の内容の一例を示す図であり、（ｃ）は、求職情報の内容の一例を示す図である。
【図５】一実施形態に係る求人・求職支援サーバ１のシステム制御部１４の求人登録リクエスト受信時処理における処理例を示すフローチャートである。
【図６】一実施形態に係る求人・求職支援サーバ１のシステム制御部１４の応募情報受信時処理における処理例を示すフローチャートである。
【図７】一実施形態に係る求人・求職支援サーバ１のシステム制御部１４の応募情報送信リクエスト受信時処理における処理例を示すフローチャートである。
【発明を実施するための形態】
【００２３】
以下、図面を参照して本発明の実施形態について詳細に説明する。なお、以下に説明する実施の形態は、求人・求職支援システムに対して本発明を適用した場合の実施形態である。
【００２４】
［１．求人・求職支援システムの構成及び機能概要］
先ず、本実施形態に係る求人・求職支援システムＳの構成及び概要機能について、図１を用いて説明する。
【００２５】
図１は、本実施形態に係る求人・求職支援システムＳの概要構成の一例を示す図である。
【００２６】
図１に示すように、求人・求職支援システムＳは、サーバ装置の一例としての求人・求職支援サーバ１と、ユーザ端末装置の一例としての複数のユーザ端末２と、求人者端末装置の一例としての複数の企業端末３と、複数の企業サイトサーバと、を含んで構成されている。そして、求人・求職支援サーバ１と、各ユーザ端末２、企業端末３及び企業サイトサーバ４とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２７】
求人・求職支援サーバ１は、企業による求人及びユーザによる求職を支援するＷｅｂサイトである求人・求職支援サイトを構成するＷｅｂページを送信するサーバ装置である。なお、求人及び求職の対象となる雇用形態は、正規社員、契約社員、アルバイト、パート等、如何なる形態であっても良い。
【００２８】
ユーザ端末２は、求職者としてのユーザが求人・求職支援サイト等のＷｅｂページを閲覧するためのブラウザプログラムが組み込まれた端末装置である。ユーザ端末２としては、例えば、パーソナルコンピュータ、ＰＤＡ（Personal Digital Assistant）、携帯電話機等が用いられる。
【００２９】
企業端末３は、求人者としての企業の人事担当者により利用される端末装置である。この企業端末３にもブラウザプログラムが組み込まれている。企業端末３としては、例えば、パーソナルコンピュータ等が用いられる。
【００３０】
企業サイトサーバ４は、求人者としての企業が運営するＷｅｂサイトを構成するＷｅｂページを送信するサーバ装置である。企業のＷｅｂサイトには、企業からの様々な情報が掲載される。
【００３１】
このような構成の求人・求職支援システムＳにおいて、求人・求職支援サーバ１は、求人及び求職を支援するための処理を実行する。具体的に、求人・求職支援サーバ１は、企業端末３から送信された求人情報をデータベースに登録し、ユーザ端末２からのリクエストに応じて、求人情報が表示されるＷｅｂページ（以下、「求人情報ページ」という）をユーザ端末２に送信する。また、求人・求職支援サーバ１は、求人募集に対するユーザからの応募として、ユーザにより入力された応募情報を受信してデータベースに登録する。この応募情報は、応募書類に相当する情報である。そして、求人・求職支援サーバ１は、企業端末３からのリクエストに応じて、応募情報を企業端末３に送信する。
【００３２】
また、求人・求職支援サーバ１は、求人募集に対して応募したユーザの意欲度を評価する。意欲度とは、求人募集された仕事（求人募集の対象）に就こうとする意欲をユーザがどの程度有しているかを数値で示す情報である。この意欲度が高いほど、仕事に就こうとする意欲が高い（強い）ことを示す。企業としては、意欲が高いか否かが人事採用を行う上での基準の１つとなる。そこで、求人・求職支援システムＳにおいては、ユーザの意欲を、意欲度という目に見える数値で表すことにより、企業の人事採用を支援する。
【００３３】
具体的に、求人・求職支援サーバ１は、ユーザ端末２から受信した応募情報に基づいて、意欲度を算出する。応募情報には、ユーザによって入力されたテキスト情報が含まれている。このテキスト情報の中には、例えば、志望動機等のように、ユーザの意欲が表れやすい情報がある。もし、ユーザが、求人募集をしている企業のＷｅｂサイトを閲覧する等して、求人募集された仕事や企業に関する情報を事前に調査し、より理解した上で応募をしたのであれば、ユーザは、その仕事や企業に関する具体的な内容を含むテキスト情報を入力するものと考えられる。例えば、ユーザは、企業のＷｅｂサイト等に掲載されている重要なキーワード等を入れながら、志望動機を入力する。そこで、求人・求職支援サーバ１は、求人募集に関連するキーワードを関連キーワードとしてデータベースに予め登録し、応募情報から抽出したテキスト情報に関連キーワードが含まれている場合には、関連キーワードが含まれていない場合よりも高い意欲度を算出する。
【００３４】
［２．求人・求職支援サーバの構成］
次に、求人・求職支援サーバ１の構成について、図２乃至４を用いて説明する。
【００３５】
図２は、本実施形態に係る求人・求職支援サーバ１の概要構成の一例を示すブロック図である。また、図３（ａ）は、会員ＤＢ１２ａに登録される内容の一例を示す図である。また、図３（ｂ）は、求人ＤＢ１２ｂに登録される内容の一例を示す図である。また、図３（ｃ）は、関連キーワードＤＢ１２ｃに登録される内容の一例を示す図である。また、図３（ｄ）は、応募ＤＢ１２ｄに登録される内容の一例を示す図である。また、図４（ａ）は、応募情報の内容の一例を示す図である。また、図４（ｂ）は、ユーザ情報の内容の一例を示す図である。また、図４（ｃ）は、求職情報の内容の一例を示す図である。
【００３６】
図２に示すように、求人・求職支援サーバ１は、通信部１１と、記憶部１２と、入出力インターフェース１３と、システム制御部１４と、を備えている。そして、システム制御部１４と入出力インターフェース１３とは、システムバス１５を介して接続されている。
【００３７】
通信部１１は、ネットワークＮＷに接続して、ユーザ端末２、企業端末３及び企業サイトサーバ４等との通信状態を制御するようになっている。記憶部１２は、例えば、ハードディスクドライブ等により構成されており、各種プログラム及びデータ等を記憶するようになっている。入出力インターフェース１３は、通信部１１及び記憶部１２とシステム制御部１４との間のインターフェース処理を行うようになっている。システム制御部１４は、ＣＰＵ（Central Processing Unit）１４ａ、ＲＯＭ（Read Only Memory）１４ｂ、ＲＡＭ（Random Access Memory）１４ｃ等により構成されている。
【００３８】
記憶部１２は、本発明の関連キーワード記憶手段及び応募情報記憶手段の一例を構成する。この記憶部１２には、会員ＤＢ（データベース）１２ａ、求人ＤＢ１２ｂ、関連キーワードＤＢ１２ｃ、及び応募ＤＢ１２ｄが構築されている。会員ＤＢ１２ａには、求人・求職支援システムＳに会員登録しているユーザに関する情報が登録される。具体的に、会員ＤＢ１２ａには、図３（ａ）に示すように、ユーザに対して識別情報として付与されたユーザＩＤ、パスワード、氏名、生年月日、性別、住所、電話番号、メールアドレス等が、ユーザ毎に対応付けて登録される。これらの情報は、例えば、ユーザが会員登録する際にユーザにより入力される。なお、ユーザの学歴、職歴、資格・スキル等、求人募集に対する応募の際に入力されるような情報も登録されていても良い。
【００３９】
求人ＤＢ１２ｂには、求人に関する情報が登録される。具体的に、求人ＤＢ１２ｂには、図３（ｂ）に示すように、企業に対して識別情報として付与された企業ＩＤ、求人募集に対して識別情報として付与された求人ＩＤ、及び求人情報が、求人募集毎に対応付けて登録される。求人情報には、例えば、雇用形態、仕事内容、応募資格、勤務地、勤務時間、給与、待遇・福利厚生、休日・休暇、問い合わせ先等の情報が含まれている。
【００４０】
関連キーワードＤＢ１２ｃには、関連キーワードが登録される。具体的に、関連キーワードＤＢ１２ｃには、図３（ｃ）に示すように、企業ＩＤ、求人ＩＤ、及び１つ以上の関連キーワードが、求人募集毎に対応付けて登録される。関連キーワードは、例えば、企業の求人担当者により入力されたり、企業のＷｅｂサイトのＷｅｂページから抽出されたりする。
【００４１】
図３（ｄ）に示すように、応募ＤＢ１２ｄには、応募情報及び意欲度が、求人募集に対する応募毎に対応付けて登録される。図４（ａ）に示すように、応募情報は、ユーザ情報及び求職情報を含む。ユーザ情報は、ユーザに関する情報であり、どの求人募集に対しても基本的に内容が変化しない情報である。具体的に、ユーザ情報には、図４（ｂ）に示すように、ユーザＩＤ、氏名、生年月日、性別、電話番号、メールアドレス、学歴、職歴、資格・スキルの情報が含まれる。求職情報は、応募する求人募集に応じて内容が変化し得る情報である。具体的に、求職情報には、図４（ｃ）に示すように、応募先の企業の企業ＩＤ、応募対象である求人募集の求人ＩＤ、志望動機、自己ＰＲ（Public Relations）、及び希望条件の情報が含まれる。ここで、志望動機、自己ＰＲ、及び希望条件は、テキスト情報である。
【００４２】
また、記憶部１２には、意欲度の初期値が記憶されている。この意欲度の初期値は、例えば予め設定された値である。また、記憶部１２には、Ｗｅｂページを構成するＨＴＭＬ（Hyper Text Markup Language）文書、ＸＭＬ（Extensible Markup Language）文書、画像データ、テキストデータ、電子文書等の各種データが記憶されている。
【００４３】
更に、記憶部１２には、所定のオペレーティングシステムが記憶されている。また、記憶部１２には、ＨＴＴＰ（Hyper Text Transfer Protocol）プロトコルを用いて、ユーザ端末２等とデータを送受信するためのＷＷＷ（World Wide Web）サーバプログラムが記憶されている。また、システム制御部１４は、求人及び求職を支援するための処理を実行するための処理プロラムが含まれている。なお、各種プログラムは、例えば、他のサーバ装置等からネットワークＮＷを介して取得されるようにしても良いし、記録媒体に記録されてドライブ装置を介して読み込まれるようにしても良い。
【００４４】
システム制御部１４は、ＣＰＵ１４ａが、ＲＯＭ１４ｂや記憶部１２に記憶された各種プログラムを読み出し実行することにより求人・求職支援サーバ１の各部を制御する。また、システム制御部１４は、本発明における応募情報取得手段、テキスト情報抽出手段、判定手段、意欲度評価手段、所在情報取得手段、関連キーワード抽出手段、送信手段、応募情報抽出手段、及び応募情報ソート手段として機能するようになっている。
【００４５】
［３．求人・求職支援システムの動作］
次に、求人・求職支援システムＳの動作について、図５乃至図７を用いて説明する。
【００４６】
図５は、本実施形態に係る求人・求職支援サーバ１のシステム制御部１４の求人登録リクエスト受信時処理における処理例を示すフローチャートである。
【００４７】
企業の人事担当者は、求人募集を行うため、求人情報を入力するための求人情報登録画面を企業端末３に表示させる。この求人情報登録画面には、求人情報を入力するための各種入力欄が表示されるとともに、関連キーワードの登録方法を選択するためのボタンが表示される。ここで、人事担当者は、求人情報を入力する。また、人事担当者は、登録する関連キーワードを、人事担当者自身が入力するか、または、企業のＷｅｂサイトのＷｅｂページから抽出するかを選択する。そして、人事担当者は、関連キーワードを人事担当者自身が入力すると選択した場合には、関連キーワードを１つ以上入力する。このとき、人事担当者は、例えば、応募情報のテキスト情報の中に含まれていたら意欲が高いと判断しても良いようなキーワードを関連キーワードとして入力する。一方、人事担当者は、関連キーワードを企業のＷｅｂサイトのＷｅｂページから抽出すると選択した場合には、抽出先のＷｅｂページのＵＲＬ（本発明の所在情報の一例）を１つ以上入力する。どのような内容が表示されるＷｅｂページを、関連キーワードの抽出先とするかは任意であるが、表示内容としては、例えば、企業概要、事業内容、企業理念、人事の採用情報、募集した職種に関する情報等がある。人事担当者は、必要な情報を入力すると、情報の登録を選択する。すると、企業端末３は、入力された情報及び企業ＩＤを含む求人登録リクエストを、求人・求職支援サーバ１に送信する。
【００４８】
求人登録リクエスト受信時処理は、求人・求職支援サーバ１が求人登録リクエストを受信したときに開始される。先ず、システム制御部１４は、求人登録リクエストを送信してきた企業端末３が属する企業の企業ＩＤを特定するとともに、新たに求人ＩＤを生成する。そして、システム制御部１４は、受信した求人登録リクエストに設定された求人情報を、企業ＩＤ及び求人ＩＤに対応付けて求人ＤＢ１２ｂに登録する（ステップＳ１）。
【００４９】
次いで、システム制御部１４は、受信した求人登録リクエストに関連キーワードを抽出するためのＵＲＬが設定されているか否かを判定する（ステップＳ２）。このとき、システム制御部１４は、関連キーワードを抽出するためのＵＲＬが設定されていない場合には（ステップＳ２：ＮＯ）、受信した求人登録リクエストに設定されている関連キーワードを、企業ＩＤ及び求人ＩＤに対応付けて関連キーワードＤＢ１２ｃに登録する（ステップＳ３）。システム制御部１４は、ステップＳ３の処理を終えると、求人登録リクエスト受信時処理を終了させる。
【００５０】
一方、システム制御部１４は、受信した求人登録リクエストに関連キーワードを抽出するためのＵＲＬが設定されている場合には（ステップＳ３：ＹＥＳ）、企業のＷｅｂサイトからＨＴＭＬ文書を取得する（ステップＳ４）。具体的に、システム制御部１４は、所在情報取得手段として受信した求人登録リクエストに設定されているＵＲＬを含むＨＴＭＬ文書のリクエストを企業サイトサーバ４に送信し、企業サイトサーバ４から送信されてきたＨＴＭＬ文書を受信する。
【００５１】
次いで、システム制御部１４は、関連キーワード抽出手段として、取得したＨＴＭＬ文書に対して形態素解析等を実行し、ＨＴＭＬ文書からキーワードを抽出する（ステップＳ５）。なお、形態素解析等に基づいてキーワードを抽出する技術自体は公知であるので、キーワードを抽出する処理の詳細な説明は省略する。
【００５２】
次いで、システム制御部１４は、抽出したキーワードを関連キーワードとして、企業ＩＤ及び求人ＩＤに対応付けて関連キーワードＤＢ１２ｃに登録する（ステップＳ６）。システム制御部１４は、ステップＳ６の処理を終えると、求人登録リクエスト受信時処理を終了させる。
【００５３】
図６は、本実施形態に係る求人・求職支援サーバ１のシステム制御部１４の応募情報受信時処理における処理例を示すフローチャートである。
【００５４】
ユーザは、ユーザ端末２を操作して、求人・求職支援サイトにおいて所望の求人募集を選択する。すると、求人・求職支援サーバ１は、選択された求人募集に対応する求人情報ページをユーザ端末２に送信する。そして、ユーザは、ユーザ端末２の画面に表示されたＷｅｂページ中の「応募ページへ」と表示されたボタンを選択する。すると、求人・求職支援サーバ１は、応募情報を入力するための求人応募フォーム入力画面としてのＷｅｂページをユーザ端末２に送信する。ユーザは、ユーザ端末２の画面に表示された求人応募フォーム入力画面に、氏名、生年月日、性別、電話番号、メールアドレス、学歴、職歴、資格・スキル等のユーザ情報と、志望動機、自己ＰＲ、希望条件等の求職情報とを入力する。なお、ユーザ情報に関しては、会員ＤＢ１２ａに登録された情報が予め入力されていても良い。そして、ユーザは、「応募する」と表示されたボタンを選択すると、ユーザ端末２は、応募先の企業の企業ＩＤ、応募する求人募集の求人ＩＤ及び入力された情報を含む応募情報を求人・求職支援サーバ１に送信する。
【００５５】
応募情報受信時処理は、求人・求職支援サーバ１が応募情報を受信したときに開始される。先ず、システム制御部１４は、意欲度に初期値を設定する（ステップＳ１１）。次いで、システム制御部１４は、テキスト情報抽出手段として、応募情報取得手段として受信した応募情報に含まれる求職情報から志望動機のテキスト情報を抽出する（ステップＳ１２）。なお、抽出するテキスト情報は、志望動機に限られるものではない、例えば、システム制御部１４が、自己ＰＲを抽出しても良い。
【００５６】
次いで、システム制御部１４は、求職情報に含まれる企業ＩＤ及び求人ＩＤに対応する関連キーワードを関連キーワードＤＢ１２ｃから１つ取得する（ステップＳ１３）。次いで、システム制御部１４は、判定手段として、抽出した志望動機のテキスト情報に、取得した関連キーワードが含まれているか否かを判定する（ステップＳ１４）。このとき、システム制御部１４は、志望動機のテキスト情報に関連キーワードが含まれている場合には（ステップＳ１４）、意欲度評価手段として、意欲度に１を加算する（ステップＳ１５）。
【００５７】
システム制御部１４は、志望動機のテキスト情報に関連キーワードが含まれていない場合（ステップＳ１４：ＮＯ）、または、ステップＳ１５の処理を終えた場合には、企業ＩＤ及び求人ＩＤに対応する関連キーワードのうちまだ取得していない関連キーワードが関連キーワードＤＢ１２ｃに登録されているか否かを判定する（ステップＳ１６）。このとき、システム制御部１４は、まだ取得していない関連キーワードが登録されている場合には（ステップＳ１６：ＹＥＳ）、企業ＩＤ及び求人ＩＤに対応する次の関連キーワードを関連キーワードＤＢ１２ｃから取得して（ステップＳ１７）、ステップＳ１４に移行する。
【００５８】
一方、システム制御部１４は、まだ取得していない関連キーワードが登録されていない場合には（ステップＳ１６：ＮＯ）、受信した応募情報と計算が終わった意欲度とを対応付けて応募ＤＢ１２ｄに登録する（ステップＳ１８）。このとき、システム制御部１４は、応募情報を送信してきたユーザ端末２のユーザのユーザＩＤを特定し、特定したユーザＩＤを応募情報のユーザ情報中に設定した上で、応募情報を登録する。システム制御部１４は、ステップＳ１８の処理を終えると、応募情報受信時処理を終了させる。
【００５９】
図７は、本実施形態に係る求人・求職支援サーバ１のシステム制御部１４の応募情報送信リクエスト受信時処理における処理例を示すフローチャートである。
【００６０】
企業の人事担当者は、求人募集に対する応募情報を取得する際に、取得する応募情報の条件を指定するための条件設定画面を企業端末３に表示させる。ここで、人事担当者は、求人募集の求人ＩＤ、絞り込み条件等を指定する。絞り込み条件としては、取得する意欲度の範囲を指定することができる。意欲度の範囲としては、或る値以上、或る値以下、或る値以上であり且つ或る値以下、といった指定が可能である。そして、人事担当者が検索を指定すると、企業端末３は、指定された求人ＩＤ及び絞り込み条件を含む応募情報送信リクエストを求人・求職支援サーバ１に送信する。
【００６１】
応募情報送信リクエスト受信時処理は、求人・求職支援サーバ１が応募情報送信リクエストを受信したときに開始される。先ず、システム制御部１４は、応募情報送信リクエストを送信してきた企業端末３が属する企業の企業ＩＤを特定する。次いで、システム制御部１４は、受信した応募情報送信リクエストに意欲度の範囲指定が設定されているか否かを判定する（ステップＳ１０１）。このとき、システム制御部１４は、意欲度の範囲指定が設定されていない場合には（ステップＳ１０１：ＮＯ）、特定した企業ＩＤ、応募情報送信リクエストに含まれる求人ＩＤに対応する応募情報及び意欲度の組を、応募ＤＢ１２ｄから全て抽出する（ステップＳ１０２）。
【００６２】
一方、システム制御部１４は、意欲度の範囲指定が設定されている場合には（ステップＳ１０１：ＹＥＳ）、応募情報抽出手段として、特定した企業ＩＤ、応募情報送信リクエストに含まれる求人ＩＤに対応して応募ＤＢ１２ｄに登録されている応募情報及び意欲度の組のうち、意欲度が指定範囲内にある応募情報及び意欲度の組を抽出する（ステップＳ１０３）。
【００６３】
システム制御部１４は、ステップＳ１０２またはＳ１０３の処理を終えると、応募情報ソート手段として、抽出した応募情報及び意欲度の組を、意欲度が高い順にソートする（ステップＳ１０４）。次いで、システム制御部１４は、送信手段として、ソートした応募情報及び意欲度の組を、企業端末３に送信する（ステップＳ１０５）。例えば、システム制御部１４は、応募情報及び意欲度の組を、意欲度が高い順に順次企業端末３に送信する。システム制御部１４は、ステップＳ１０５の処理を終えると、応募情報送信リクエスト受信時処理を終了させる。
【００６４】
なお、人事担当者が意欲度の範囲を指定するのではなく、求人・求職支援サーバ１側で、意欲度が予め指定された範囲にある応募情報及び意欲度の組を抽出しても良い。また、システム制御部１４は、意欲度が指定範囲内にある応募情報を抽出して企業端末３に送信する場合、意欲度は送信しなくても良い。この場合でも、人事担当者は、意欲度が或る条件を満たした応募情報のみを検討することができる。また、システム制御部１４は、応募情報とともに意欲度を企業端末３に送信する場合には、意欲度の順にソートしなくても良い。この場合でも、人事担当者は、意欲度を参考にして応募情報を検討することができる。
【００６５】
以上説明したように、本実施形態によれば、求人・求職支援サーバ１の記憶部１２が、求人募集対象の関連キーワードを求人ＩＤに対応付けて記憶し、システム制御部１４が、ユーザ情報と求職情報とを含む応募情報をユーザ端末２から取得し、取得された応募情報からテキスト情報を抽出し、抽出されたテキスト情報に、取得された応募情報の求職情報に含まれる求人ＩＤに対応する関連キーワードが含まれるか否かを判定し、判定結果に基づいて、求人ＩＤが示す求人募集対象に対するユーザの意欲度を評価する。従って、求職者のシステムの利用期間にかかわらず、求職意欲を適切に評価することができる。
【００６６】
また、システム制御部１４が、求職情報に含まれる志望動機のテキスト情報を抽出するので、求職意欲をより適切に評価することができる。
【００６７】
また、システム制御部１４が、求人者としての企業のＷｅｂサイトに含まれるＷｅｂページのＵＲＬを企業端末３から取得し、取得されたＵＲＬに基づいて、Ｗｅｂページから関連キーワードを抽出し、抽出した関連キーワードを記憶部１２に記憶させるので、人手により関連キーワードを登録する手間を省くことができる。
【００６８】
また、記憶部１２が、ユーザ端末２から取得された応募情報と評価された意欲度とを対応付けて記憶し、システム制御部１４が、対応付けて記憶された応募情報及び意欲度の組を企業端末３に送信するので、求人者は、求職者の求職意欲を参考にして応募情報を検討することができる。
【００６９】
また、システム制御部１４が、記憶部１２に記憶された応募情報のうち、対応する意欲度が、指定範囲内にある応募情報を抽出し、抽出された応募情報を企業端末３に送信するので、求人者は、求職意欲が或る基準を満たす求職者の応募情報のみを検討することができる。
【００７０】
また、システム制御部１４が、記憶部１２に記憶された応募情報を、対応する意欲度の順にソートし、ソートされた応募情報をネットワークを介して企業端末３に送信するので、求人者は、求職意欲の順に応募情報を検討することができる。
【符号の説明】
【００７１】
１  求人・求職支援サーバ
２  ユーザ端末
３  企業端末
４  企業サイトサーバ
１１  通信部
１２  記憶部
１２ａ  会員ＤＢ
１２ｂ  求人ＤＢ
１２ｃ  関連キーワードＤＢ
１２ｄ  応募ＤＢ
１３  入出力インターフェース
１４  システム制御部
１４ａ  ＣＰＵ
１４ｂ  ＲＯＭ
１４ｃ  ＲＡＭ
１５  システムバス
ＮＷ  ネットワーク
Ｓ  求人・求職支援システム
【図１】
2011210196.tif 000003
【図２】
2011210196.tif 000004
【図３】
2011210196.tif 000005
【図４】
2011210196.tif 000006
【図５】
2011210196.tif 000007
【図６】
2011210196.tif 000008
【図７】
2011210196.tif 000009